Podtech/llm-jp-corpus-v4-ja_patent huggingface dataset:
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
折り畳み式マンドレル（３０）であって、
空気注入式ブラダ（３５）を含み、
ブラダ（３５）が、フルオロエラストマーゴムの内側層（４２）及び外側層（４４）を含み、強化材（４６）が内側層（４２）と外側層（４４）との間に挟まれた
折り畳み式マンドレル。
【請求項２】
強化材（４６）が、フルオロエラストマーゴムのコーティング（５１）を含み、ゴムコーティング（５１）と内側層（４２）及び外側層（４４）との相対粘着性により強化材（４６）が内側層（４２）及び外側層（４４）に付着し、内側層（４２）及び外側層（４４）が強化材（４６）の少なくとも一部をラミネートしている、請求項１に記載の折り畳み式マンドレル。
【請求項３】
ブラダ（３５）が折り畳み式の側壁（３２）を含み、
強化材（４６）が各側壁（３２）で途切れている
請求項１に記載の折り畳み式マンドレル。
【請求項４】
強化材（４６）がグラスファイバーである、請求項３に記載の折り畳み式マンドレル。
【請求項５】
ブラダ（３５）が、細長く、複数の側壁（３２）を含み、
強化材（４６）が、相互にほぼ端と端を突き合わせて配置されている各側壁（３２）に少なくとも２つのおおむね堅く細長いストリップ（４６）を含む
請求項１に記載の折り畳み式マンドレル。
【請求項６】
折り畳み式マンドレル（３０）を製造する方法であって、積層体（５６）を形成することを含み、前記積層体（５６）の形成は、
基板（５０）上に第１フルオロエラストマーゴム層（４４）を置くステップと、
前記第１フルオロエラストマーゴム層（４４）上に１以上の強化ストリップ（４６）を置くステップであって、前記１以上の強化ストリップ（４６）は位置合わせされた端と端が接触して突き合わせ継手（４８）を形成し、前記強化ストリップ（４６）は前記第１フルオロエラストマーゴム層（４４）上に置かれる前にフルオロエラストマーゴムでコーティングされる、ステップと、
前記第１フルオロエラストマーゴム層（４４）の外側縁部と前記強化ストリップ（４６）のうちの一つとの間に第１離型フィルム（５２）を挿入するステップであって、前記強化ストリップ（４６）のゴムコーティング（５１）と前記第１フルオロエラストマーゴム層（４４）との相対粘着性により、前記強化ストリップ（４６）は前記第１離型フィルム（５２）が挿入されている外側縁部以外の前記第１フルオロエラストマーゴム層（４４）に付着する、ステップと、
前記１以上の強化ストリップ（４６）を第２離型フィルム（５４）の２つのストリップで部分的に覆うステップであって、前記２つのストリップは互いに間隔をおいて前記１以上の強化ストリップ（４６）がむき出すむき出し領域（４６ａ）を残す、ステップと、
前記第２離型フィルム（５４）と前記むき出し領域（４６ａ）とに覆いかぶさる第２フルオロエラストマーゴム層（４２）を置くステップであって、前記第２フルオロエラストマーゴム層（４２）は前記むき出し領域（４６ａ）に沿ってのみ前記強化ストリップ（４６）に付着する、ステップと、
前記第１及び第２のフルオロエラストマーゴム層（４４、４２）を前記強化ストリップ（４６）にラミネートするステップと、
を含む、方法。
【請求項７】
カバー（６２）を含むツールアセンブリ（５８）の一部を形成する型（６０）の空洞（６０ａ）に前記積層体（５６）を配置し、前記積層体（５６）を前記型の空洞（６０ａ）の半径（６０ｂ）に合わせるように成形マンドレル（６８）を前記型の空洞（６０ａ）に押し付けるステップと、
前記第１及び第２の離型フィルム（５２、５４）を取り外すステップであって、前記強化ストリップ（４６）と前記第１及び第２のフルオロエラストマーゴム層（４２、４４）のそれぞれとの間の完全にラミネートされた領域（５５）は前記型の空洞（６０ａ）の底部に沿って置かれている、ステップと、
３つの突き合わせ継手（４８）を３つの対応する側壁（３２）の中間におおまかに位置づけるステップであって、前記積層体（５６）の外側の自由縁部（６４）は前記型（６０）の外側にフラップとして延びる、ステップと、
前記強化ストリップ（４６）の縁部と前記第２フルオロエラストマーゴム層（４２）との間に第３離型フィルム（６６）を挿入するステップと、
前記成形マンドレル（６８）を前記積層体（５６）の最上部に配置して前記型空洞（６０ａ）に挿入するステップと、
前記第３離型フィルム（６６）を取り外すステップと、
前記第２フルオロエラストマーゴム層（４２）の第１フラップ（４２ａ）を前記成形マンドレル（６８）上に折り重ねるステップと、
前記第２フルオロエラストマーゴム層（４２）の第２フラップ（４２ｂ）と前記強化ストリップ（４６）から形成される中間層の第３フラップ（４６ａ）とを前記第１フラップ（４２ａ）上に、第１重なり接合部（６５）を成して折り重ねるステップと、
前記中間層の第４フラップ（４６ｂ）を前記第２フラップ（４２ｂ）上に、前記強化ストリップ（４６）の２つの端部の間の突き合わせ継手（４８ａ）を成して折り重ねるステップと、
前記第１フルオロエラストマーゴム層（４４）の第５フラップ（４４ａ）を前記強化ストリップ（４６）上に、突き合わせ継手（４８ａ）に重ねて折り重ねるステップと、
前記第１フルオロエラストマーゴム層（４４）の第６フラップ（４４ｂ）を前記第５フラップ（４４ａ）上に、第２重なり接合部（７８）を成して折り重ねるステップと、
前記カバー（６２）を取り付けることによって前記型（６０）を封鎖するステップと、
前記積層体（５６）を圧縮し硬化するために前記ツールアセンブリ（５８）全体に真空圧及びオートクレーブ圧の少なくとも１つを印加するステップと、
硬化された積層体（５６）を前記型（６０）から取り外し、前記成形マンドレル（６８）を取り外すステップと、
をさらに含む、請求項６に記載の折り畳み式マンドレル（３０）を製造する方法。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
搾油工程における清澄処理後の油圧搾後の圧搾油、および／または、精製工程における精製処理を行う前の清澄処理済みパーム原油に対して、遊離塩素を除去するための水洗工程を設けたことを特徴とする遊離塩素が除去されたパーム原油の製造方法。
【請求項２】
遊離塩素を除去するための水洗工程が、３-モノクロロプロパン-１,２-ジオール脂肪酸エステルの生成要因物質である遊離塩素を除去するための水洗工程である、請求項１に記載の遊離塩素が除去されたパーム原油の製造方法。
【請求項３】
遊離塩素を除去するための水洗工程が、１回以上水で洗う工程である、請求項１または２に記載の遊離塩素が除去されたパーム原油の製造方法。
【請求項４】
遊離塩素を除去するための水洗工程で用いる水が、純水、超純水、蒸留水、および／または、イオン交換水からなる塩素イオンを含まない、または塩素イオンを除去した水である、請求項１、２または３に記載の遊離塩素が除去されたパーム原油の製造方法。
【請求項５】
遊離塩素を除去するための水洗工程で用いる水が、２０〜８０℃の水である請求項１ないし４のいずれかに記載の遊離塩素が除去されたパーム原油の製造方法。
【請求項６】
遊離塩素を除去されたパーム原油が、３-モノクロロプロパン-１,２-ジオール脂肪酸エステルの生成を抑制したパーム原油である請求項１ないし５のいずれかに記載の遊離塩素が除去されたパーム原油の製造方法。
【請求項７】
遊離塩素が除去されたパーム原油が、遊離塩素量が２ｐｐｍ以下のパーム原油である請求項１ないし６のいずれかに記載の遊離塩素が除去されたパーム原油の製造方法。
【請求項８】
請求項１ないし７のいずれかに記載の製造方法によって、遊離塩素量を２ｐｐｍ以下にしたパーム原油。
【請求項９】
請求項８に記載のパーム原油を精製処理した、３-モノクロロプロパン-１，２-ジオール脂肪酸エステルの含量が１ｍｇ／ｋｇ以下の精製パーム油。
【手続補正２】
【補正対象書類名】明細書
【補正対象項目名】０００８
【補正方法】変更
【補正の内容】
【０００８】
本発明は、以下の（１）ないし（７）に記載された遊離塩素が除去されたパーム原油の製造方法を要旨とする。
（１）搾油工程における清澄処理後の油圧搾後の圧搾油、および／または、精製工程における精製処理を行う前の清澄処理済みパーム原油に対して、遊離塩素を除去するための水洗工程を設けたことを特徴とする遊離塩素が除去されたパーム原油の製造方法。
（２）遊離塩素を除去するための水洗工程が、３-モノクロロプロパン-１,２-ジオール脂肪酸エステルの生成要因物質である遊離塩素を除去するための水洗工程である、上記（１）に記載の遊離塩素が除去されたパーム原油の製造方法。
（３）遊離塩素を除去するための水洗工程が、１回以上水で洗う工程である、上記（１）または（２）に記載の遊離塩素が除去されたパーム原油の製造方法。
（４）遊離塩素を除去するための水洗工程で用いる水が、純水、超純水、蒸留水、および／または、イオン交換水からなる塩素イオンを含まない、または塩素イオンを除去した水である、上記（１）、（２）または（３）に記載の遊離塩素が除去されたパーム原油の製造方法。
（５）遊離塩素を除去するための水洗工程で用いる水が、２０〜８０℃の水である上記（１）ないし（４）のいずれかに記載の遊離塩素が除去されたパーム原油の製造方法。
（６）遊離塩素を除去されたパーム原油が、３-モノクロロプロパン-１,２-ジオール脂肪酸エステルの生成を抑制したパーム原油である上記（１）ないし（５）のいずれかに記載の遊離塩素が除去されたパーム原油の製造方法。
（７）遊離塩素が除去されたパーム原油が、遊離塩素量が２ｐｐｍ以下のパーム原油である上記（１）ないし（６）に記載のパーム原油の製造方法。
【手続補正３】
【補正対象書類名】明細書
【補正対象項目名】０００９
【補正方法】変更
【補正の内容】
【０００９】
また、本発明は、以下の（８）に記載されたパーム原油を要旨とする。
（８）上記（１）ないし（７）のいずれかに記載の製造方法によって、遊離塩素量を２ｐｐｍ以下にしたパーム原油。
【手続補正４】
【補正対象書類名】明細書
【補正対象項目名】００１０
【補正方法】変更
【補正の内容】
【００１０】
さらにまた、本発明は、以下の（９）に記載された精製パーム油を要旨とする。
（９）上記（８）に記載のパーム原油を精製処理した、３-モノクロロプロパン-１，２-ジオール脂肪酸エステルの含量が１ｍｇ／ｋｇ以下の精製パーム油。
【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
色相の異なる複数の色材を含有してなるインクであって、
前記インクにより記録された所定の記録画像について、下記式１で算出されるブロンズ値Ｂが、２．０以下であることを特徴とするインク。
2011174046.tif 000001
（ここで、Ｘｘ45、Ｙｘ45、Ｚｘ45は、前記画像の法線を基準として４５度方向の照明に対する正反射方向の反射光の三刺激値であり、Ｘｓ45、Ｙｓ45、Ｚｓ45は、同条件における照明光の三刺激値であり、これらは下記の関係式を満たすものとする。）
2011174046.tif 000002
【請求項２】
前記色相の異なる複数の色材を個々に含有させ、水で調整した以外は請求項１に記載のインクと同様に構成されたインクを対照インクとすると、前記対照インクから選ばれる少なくとも１の対照インクの前記式１で算出されるブロンズ値Ｂが２．０より大きい請求項１に記載のインク。
【請求項３】
前記インクにより記録された前記所定の記録画像について下記式２で算出される彩度値Ｃが、２．０以下である請求項１又は２に記載のインク。
2011174046.tif 000003
（ここで、Ｘｘ0、Ｙｘ0、Ｚｘ0は、前記画像の法線を基準として４５度方向の照明に対する法線方向の反射光の三刺激値であり、Ｘｓ0、Ｙｓ0、Ｚｓ0は、同条件における照明光の三刺激値であり、これらは下記の関係式を満たすものとする。）
2011174046.tif 000004
【請求項４】
前記色相の異なる複数の色材のうち、最もインク中の含有量が多い色材がカーボンブラックである請求項１乃至３のいずれか１項に記載のインク。
【請求項５】
インク中の前記色材の合計含有量（質量％）が、インク全質量を基準として、２．０質量％以上１０．０質量％以下である請求項１乃至４のいずれか１項に記載のインク。
【請求項６】
インクを収容するためのインク収容部を備えてなるインクカートリッジであって、
該インク収容部に収容されたインクが、請求項１乃至５のいずれか１項に記載のインクであることを特徴とするインクカートリッジ。
【請求項７】
インクをインクジェット方式の記録ヘッドから吐出させて記録媒体に記録を行う工程を有するインクジェット記録方法であって、
前記インクが、請求項１乃至５のいずれか１項に記載のインクであることを特徴とするインクジェット記録方法。
【請求項８】
複数のインクで構成されるインクセットであって、
前記複数のインクの少なくとも１種が請求項１乃至５のいずれか１項に記載のインクであることを特徴とするインクセット。
【手続補正２】
【補正対象書類名】明細書
【補正対象項目名】００５０
【補正方法】変更
【補正の内容】
【００５０】
2011174046.tif 000005
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
複数の顔料、及び、複数の樹脂を含有するインクであって、
前記複数の顔料に、Ｃ．Ｉ．ピグメントイエロー７４、及び、Ｃ．Ｉ．ピグメントイエロー１２８が含まれ、
前記複数の樹脂に、前記Ｃ．Ｉ．ピグメントイエロー７４を分散してなる樹脂Ａ、及び、前記Ｃ．Ｉ．ピグメントイエロー１２８を分散してなる樹脂Ｂが含まれ、
前記樹脂Ａを構成する各ユニットのうち、水素結合項が最も小さいユニットについての水素結合項ＹＡ、及び、前記樹脂Ｂを構成する各ユニットのうち、水素結合項が最も小さいユニットについての水素結合項ＹＢが、下記式（１）の関係を満たし、かつ、前記樹脂Ａの水素結合項ＰＡ、及び、前記樹脂Ｂの水素結合項ＰＢが、下記式（２）の関係を満たすことを特徴とするインク。
ＹＡ＜ＹＢ    式（１）
ＰＡ＜ＰＢ    式（２）
【請求項２】
前記Ｃ．Ｉ．ピグメントイエロー１２８のインク全質量を基準とした含有量（質量％）が、前記Ｃ．Ｉ．ピグメントイエロー７４のインク全質量を基準とした含有量（質量％）に対して、質量比率で、１．１倍以上１．４倍以下の範囲にある請求項１に記載のインク。
【請求項３】
前記樹脂Ａのインク全質量を基準とした含有量（質量％）が、前記Ｃ．Ｉ．ピグメントイエロー１２８のインク全質量を基準とした含有量（質量％）に対して、質量比率で、０．５５倍以下である請求項１又は２に記載のインク。
【請求項４】
前記インク中の、前記Ｃ．Ｉ．ピグメントイエロー７４の含有量（質量％）が、インク全質量を基準として、１．２質量％以上２．５質量％以下であり、かつ、前記Ｃ．Ｉ．ピグメントイエロー１２８の含有量（質量％）が、インク全質量を基準として、１．７質量％以上３．０質量％以下である請求項１乃至３のいずれか１項に記載のインク。
【請求項５】
前記インク中の、前記樹脂Ａの含有量（質量％）が、インク全質量を基準として、０．２質量％以上０．８質量％以下であり、かつ、前記樹脂Ｂの含有量（質量％）が、インク全質量を基準として、０．３質量％以上０．９質量％以下である請求項１乃至４のいずれか１項に記載のインク。
【請求項６】
前記樹脂Ａの重量平均分子量が、前記樹脂Ｂの重量平均分子量より大きい請求項１乃至５のいずれか１項に記載のインク。
【請求項７】
前記樹脂Ａの重量平均分子量が７，０００以上３０，０００以下であり、かつ、前記樹脂Ｂの重量平均分子量が３，０００以上１５，０００以下である請求項１乃至６のいずれか１項に記載のインク。
【請求項８】
前記樹脂Ａの重量平均分子量が１０，０００以上２０，０００以下であり、かつ、前記樹脂Ｂの重量平均分子量が４，０００以上９，０００以下である請求項１乃至６のいずれか１項に記載のインク。
【請求項９】
前記インクがさらに、平均分子量６００以上２，０００以下のポリエチレングリコールを含有する請求項１乃至８のいずれか１項に記載のインク。
【請求項１０】
インクジェット用である請求項１乃至９のいずれか１項に記載のインク。
【請求項１１】
インクを収容するインク収容部を有するインクカートリッジであって、前記インク収容部に収容されたインクが、請求項１乃至１０のいずれか１項に記載のインクであることを特徴とするインクカートリッジ。
【請求項１２】
インクをインクジェット方式で吐出して記録媒体に画像を記録するインクジェット記録方法であって、前記インクが、請求項１乃至１０のいずれか１項に記載のインクであることを特徴とするインクジェット記録方法。
【誤訳訂正書】
【提出日】平成26年11月7日(2014.11.7)
【誤訳訂正１】
【訂正対象書類名】特許請求の範囲
【訂正対象項目名】全文
【訂正方法】変更
【訂正の内容】
【特許請求の範囲】
【請求項１】
熱硬化性樹脂、硬化剤、セラミック成分、炭素含有充填材を少なくとも含む炭素質固体成分及び溶剤を含む前駆物質スラリ組成物であって、
前記熱硬化性樹脂は、ポリエステル、ビニルエステル、ビスマレイミド樹脂及びポリイミド樹脂から選択された少なくとも１つの樹脂であり、
前記熱硬化性樹脂及び前記硬化剤が前記前駆物質スラリ組成物に存在して１５分未満の硬化時間をもたらし、
前記熱硬化性樹脂は、熱分解時に炭素チャーを形成し、
前記炭素チャー及び前記炭素質固体成分の前記充填材は、最終炭素生成物を生成し、
前記前駆物質スラリ組成物の前記熱硬化性樹脂、前記硬化剤、前記セラミック成分及び前記炭素質固体成分の組み合わせは、３０体積％から７０体積％までの炭素質固体を含む
ことを特徴とする前駆物質スラリ組成物。
【請求項２】
前記炭素質固体成分の前記炭素含有充填材は、グラファイト粒子、グラファイト薄片、グラファイトホイスカー、非晶質炭素、単結晶炭素又は多結晶炭素、炭化植物繊維、ランプブラック、微粉砕石炭、木炭、炭化ポリマー繊維及びフェルトより成る群から選択された少なくとも１つの物質を含む請求項１記載の前駆物質スラリ組成物。
【請求項３】
分散剤、濃厚化剤、架橋モノマー、及び染料から選択された１つ以上の添加剤を含む請求項１又は２に記載の前駆物質スラリ組成物。
【請求項４】
前記溶剤としての４８体積％のアセトン、１６体積％の前記炭素質固体成分及び９体積％の前記セラミック成分及び残余成分としての前記熱硬化性樹脂及び使用されている場合の前記溶剤を含む請求項１から３のいずれか１項に記載の前駆物質スラリ組成物。
【請求項５】
前駆物質スラリ組成物から各々が形成された第１の外側膜及び第２の外側膜と；
前記第１の外側膜と前記第２の外側膜との間に配置された無作為に分散された補強材料とを含み、
前記前駆物質スラリ組成物は、熱硬化性樹脂、セラミック成分、炭素質固体成分、溶剤及び硬化剤を含み、
前記熱硬化性樹脂は、ポリエステル、ビニルエステル、ビスマレイミド樹脂及びポリイミド樹脂から選択された少なくとも１つの樹脂であり、
前記熱硬化性樹脂及び前記硬化剤が前記前駆物質スラリ組成物に存在して１５分未満の硬化時間をもたらし、
前記熱硬化性樹脂により前記前駆物質スラリ組成物の流動が得られ、
前記熱硬化性樹脂は、熱分解時に炭素チャーを生成し、
前記炭素チャー及び記炭素質固体成分の前記充填材は、最終炭素生成物を生成し、
前記前駆物質スラリ組成物の前記熱硬化性樹脂、前記硬化剤、前記セラミック成分及び前記炭素質固体成分の組み合わせは、３０体積％から７０体積％までの炭素質固体を含む
ことを特徴とする、シート成形コンパウンド。
【請求項６】
前記補強材料は、長さ１ｃｍ〜５ｃｍのＳｉＣトウ束から形成される請求項５記載のシート成形コンパウンド。
【請求項７】
圧縮成形処理後に所定の未加工強度を示す請求項５又は６記載のシート成形コンパウンド。
【請求項８】
前記炭素質固体成分は、グラファイト粒子、グラファイト薄片、グラファイトホイスカー、非晶質炭素、単結晶炭素、多結晶炭素、炭化植物繊維、ランプブラック、微粉砕石炭、木炭、炭化ポリマー繊維及びフェルトより成る群から選択された１つの物質を含む請求項５から７のいずれか１項に記載のシート成形コンパウンド。
【請求項９】
前記前駆物質スラリ組成物は、４８体積％のアセトン、１６体積％の前記炭素質固体成分、９体積％の前記セラミック成分及び残余成分としての前記熱硬化性樹脂及び前記硬化剤を含む請求項５から８のいずれか１項に記載のシート成形コンパウンド。
【誤訳訂正２】
【訂正対象書類名】明細書
【訂正対象項目名】０００１
【訂正方法】変更
【訂正の内容】
【０００１】
本発明は、一般にセラミックマトリクス複合体（ＣＭＣ）物品を製造するための前駆物質スラリ組成物及びシート成形コンパウンドに関し、特に、急速硬化熱硬化性樹脂を利用するスラリ組成物に関する。
【誤訳訂正３】
【訂正対象書類名】明細書
【訂正対象項目名】０００９
【訂正方法】変更
【訂正の内容】
【０００９】
例示的な一実施形態は、セラミックマトリクス複合体物品を形成するための前駆物質スラリ組成物を含む。前駆物質スラリ組成物は、熱硬化性樹脂、適切な硬化剤、セラミック成分、炭素質固体成分及び任意に使用される溶剤を含む。熱硬化性樹脂は、ポリエステル、ビニルエステル、エポキシ樹脂、ビスマレイミド樹脂及びポリイミド樹脂から選択された少なくとも１つの樹脂を含む。炭素質固体成分は熱分解時に適切な量の炭素チャーを生成する。溶剤の除去後、硬化前の前駆物質スラリ組成物の実施例は約７０体積％までの固体を含んでもよい。
【誤訳訂正４】
【訂正対象書類名】明細書
【訂正対象項目名】００１０
【訂正方法】変更
【訂正の内容】
【００１０】
例示的な一実施形態は、前駆物質スラリ組成物から形成された第１の外側膜及び第２の外側膜と、第１の外側膜と第２の外側膜との間に支持された無作為に分散された補強材料とを含むシート成形コンパウンドを含む。前駆物質スラリ組成物は、熱硬化性樹脂、適切な硬化剤、セラミック成分、炭素質固体成分及び任意に使用される適切な溶剤を含む。熱硬化性樹脂は、ポリエステル、ビニルエステル、エポキシ樹脂、ビスマレイミド樹脂及びポリイミド樹脂から選択された少なくとも１つの樹脂を含む。炭素質固体成分は熱分解時に適切な量の炭素チャーを生成する。最終チャー生成物は樹脂チャー生成物及び炭素質固体成分を源とする炭素チャーを含む。溶剤の除去後、硬化前の前駆物質スラリ組成物の実施例は約７０体積％までの固体を含んでもよい。
【誤訳訂正５】
【訂正対象書類名】明細書
【訂正対象項目名】００１５
【訂正方法】変更
【訂正の内容】
【００１５】
スラリ組成物の一実施例は、硬化（ステップ１２０）後に所望の未加工強度及び未加工靭性を示す硬化プレフォームを形成する急速硬化熱硬化性樹脂系を含む。更に、硬化中に除去されなければならない溶剤の量が最小限で済むように、熱硬化性樹脂系は選択されてもよい。ＣＭＣ部品を形成する際に現在使用されている他の樹脂系と比較して非常に急速に硬化するように、熱硬化性樹脂系は選択されてもよい。例示的な一実施形態において、樹脂系は７〜１０分で硬化されてもよく、溶剤が使用されている場合、硬化前にほぼすべての溶剤は除去される。溶剤の量が減少すれば、特に、タービン羽根及びタービンシュラウドなどの許容差の厳しい部品を形成する場合の寸法制御を改善可能である。本実施例の熱硬化性樹脂系のもう１つの利点は、体積をより一定に保てるために密閉ダイ成形技術を使用可能なことである。硬化サイクルが速いので、成形装置における材料のターンアラウンド時間を短縮できる。更に、溶剤の含有量を減少させることにより嵩が減るので、整形／成形処理中に滑り又はしわが発生しにくくなり、その結果、再現性は向上する。
【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
色相のなす角が１０度以上の複数の有機顔料を含有してなるインクであって、
前記インクにより記録された所定の記録画像について下記式１で算出されるブロンズ値Ｂが０．０以上１２．０以下であり、下記式２で算出される彩度値Ｃが６５．０以上であり、２０度光沢値ＧＢが３０．０以上であることを特徴とするインク。
2011174047.tif 000001
（ここで、Ｘｘ45、Ｙｘ45、Ｚｘ45は、前記画像の法線を基準として４５度方向の照明に対する正反射方向の反射光の三刺激値であり、Ｘｓ45、Ｙｓ45、Ｚｓ45は、同条件における照明光の三刺激値であり、これらは下記の関係式を満たすものとする。）
2011174047.tif 000002
（ここで、Ｘｘ0、Ｙｘ0、Ｚｘ0は、前記画像の法線を基準として４５度方向の照明に対する法線方向の反射光の三刺激値であり、Ｘｓ0、Ｙｓ0、Ｚｓ0は、同条件における照明光の三刺激値であり、これらは下記の関係式を満たすものとする。）
2011174047.tif 000003
【請求項２】
前記複数の有機顔料が、顔料Ａ及び顔料Ｂの２種類の顔料であって、色材として顔料Ａのみを含有する対照インク１及び色材として顔料Ｂのみを含有する対照インク２によってそれぞれに記録された所定の記録画像において、それぞれの画像におけるブロンズ値をＢA及びＢB、それぞれのＧＢ値をＧＢA及びＧＢBとしたときに、ＢA＞ＢB、及び、ＧＢA＜ＧＢBの関係が成り立つ請求項１に記載のインク。
【請求項３】
インク中の前記顔料の合計含有量（質量％）が、インク全質量を基準として、２．０質量％以上１０．０質量％以下である請求項１又は２に記載のインク。
【請求項４】
前記複数の有機顔料が、Ｃ．Ｉ．ピグメントイエロー：１２、１３、１４、１７、２０、２４、７４、８３、８６、９３、９７、１０９、１１０、１１７、１２０、１２５、１２８、１３７、１３８、１４７、１４８、１５０、１５１、１５３、１５４、１６６、１６８、１８０、１８５；Ｃ．Ｉ．ピグメントオレンジ：１６、３６、４３、５１、５５、５９、６１、７１；Ｃ．Ｉ．ピグメントレッド：９、４８、４９、５２、５３、５７、９７、１２２、１２３、１４９、１６８、１７５、１７６、１７７、１８０、１９２、２１５、２１６、２１７、２２０、２２３、２２４、２２６、２２７、２２８、２３８、２４０、２５４、２５５、２７２；Ｃ．Ｉ．ピグメントバイオレット：１９、２３、２９、３０、３２、３７、４０、５０；Ｃ．Ｉ．ピグメントブルー：１５、１５：１、１５：３、１５：４、１５：６、２２、６０、６４；Ｃ．Ｉ．ピグメントグリーン：７、３６；Ｃ．Ｉ．ピグメントブラウン：２３、２５、２６からなる群から選択される請求項１乃至３のいずれか１項に記載のインク。
【請求項５】
前記複数の有機顔料が、Ｃ．Ｉ．ピグメントブルー１５：３、ピグメントレッド１２２、ピグメントイエロー７４、及びピグメントイエロー１２８からなる群から選択される請求項１乃至３のいずれか１項に記載のインク。
【請求項６】
インクを収容するためのインク収容部を備えてなるインクカートリッジであって、
該インク収容部に収容されたインクが、請求項１乃至５のいずれか１項に記載のインクであることを特徴とするインクカートリッジ。
【請求項７】
インクをインクジェット方式の記録ヘッドから吐出させて記録媒体に記録を行う工程を有するインクジェット記録方法であって、
前記インクが、請求項１乃至５のいずれか１項に記載のインクであることを特徴とするインクジェット記録方法。
【請求項８】
色相のなす角が１０度以上の複数の有機顔料を含有してなるインクの調製方法であって、
前記インクにより記録された所定の記録画像について、下記式１で算出されるブロンズ値Ｂが０．０以上１２．０以下であり、下記式２で算出される彩度値Ｃが６５．０以上であり、２０度光沢値ＧＢが３０．０以上となるように複数の顔料を選択してインクを調製することを特徴とするインクの調製方法。
2011174047.tif 000004
（ここで、Ｘｘ45、Ｙｘ45、Ｚｘ45は、前記画像の法線を基準として４５度方向の照明に対する正反射方向の反射光の三刺激値であり、Ｘｓ45、Ｙｓ45、Ｚｓ45は、同条件における照明光の三刺激値であり、これらは下記の関係式を満たすものとする。）
2011174047.tif 000005
（ここで、Ｘｘ0、Ｙｘ0、Ｚｘ0は、前記画像の法線を基準として４５度方向の照明に対する法線方向の反射光の三刺激値であり、Ｘｓ0、Ｙｓ0、Ｚｓ0は、同条件における照明光の三刺激値であり、これらは下記の関係式を満たすものとする。）
2011174047.tif 000006
【手続補正書】
【提出日】平成25年11月18日(2013.11.18)
【手続補正１】
【補正対象書類名】明細書
【補正対象項目名】０００７
【補正方法】変更
【補正の内容】
【０００７】
本発明は、かかる課題を解決するために鋭意検討した結果、次のような手段を採用するものである。
（１）ポリアミド樹脂（Ａ）１００重量部に対して、扁平断面ガラス繊維（Ｂ）５〜１２０重量部を配合してなることを特徴とするポリアミド樹脂組成物からなる耐圧容器。
（２）（１）のポリアミド樹脂組成物が、ポリアミド樹脂（Ａ）１００重量部に対して、銅化合物（Ｃ）０．０１〜２重量部を配合してなることを特徴とする（１）記載の耐圧容器。
（３）（１）のポリアミド樹脂組成物が、ポリアミド樹脂（Ａ）１００重量部に対して、熱可塑性エラストマー（Ｄ）１〜３０重量部を配合してなることを特徴とする（１）または（２）記載の耐圧容器。
（４）（３）の熱可塑性エラストマー（Ｄ）がポリアミド系熱可塑性エラストマー、ポリウレタン系熱可塑性エラストマー、ポリエステル系熱可塑性エラストマー、ポリオレフィン系熱可塑性エラストマーおよびポリスチレン系エラストマーからなる群より選ばれる少なくとも１種であることを特徴とする（３）記載の耐圧容器。
（５）（１）のポリアミド樹脂（Ａ）の粘度数が９０〜１６０ｍｌ／ｇであることを特徴とする（１）〜（４）のいずれか記載の耐圧容器。
（６）（１）のポリアミド樹脂（Ａ）がポリヘキサメチレンアジパミド、ポリヘキサメチレンアジパミド／ポリヘキサメチレンテレフタルアミドコポリマーおよびポリヘキサメチレンテレフタルアミド／ポリヘキサメチレンセバカミドコポリマーからなる群より選ばれる少なくとも１種である（１）〜（５）のいずれか記載の耐圧容器。
（７）（１）の扁平断面ガラス繊維（Ｂ）の平均扁平率が２〜１０である（１）〜（６）のいずれか記載の耐圧容器。
（８）内部圧力が２５０ｋＰａ以上、温度が１８０℃〜２３０℃の環境で使用する（１）〜（７）のいずれか記載の耐圧容器。
【手続補正２】
【補正対象書類名】特許請求の範囲
【補正対象項目名】全文
【補正方法】変更
【補正の内容】
【特許請求の範囲】
【請求項１】
ポリアミド樹脂（Ａ）１００重量部に対して、扁平断面ガラス繊維（Ｂ）５〜１２０重量部を配合してなるポリアミド樹脂組成物からなる耐圧容器。  
【請求項２】
前記ポリアミド樹脂組成物が、ポリアミド樹脂（Ａ）１００重量部に対して、銅化合物（Ｃ）０．０１〜２重量部を配合してなることを特徴とする請求項１記載の耐圧容器。
【請求項３】
前記ポリアミド樹脂組成物が、ポリアミド樹脂（Ａ）１００重量部に対して、熱可塑性エラストマー（Ｄ）１〜３０重量部を配合してなることを特徴とする請求項１または２記載の耐圧容器。
【請求項４】
前記熱可塑性エラストマー（Ｄ）がポリアミド系熱可塑性エラストマー、ポリウレタン系熱可塑性エラストマー、ポリエステル系熱可塑性エラストマー、ポリオレフィン系熱可塑性エラストマーおよびポリスチレン系エラストマーからなる群より選ばれる少なくとも１種であることを特徴とする請求項３記載の耐圧容器。  
【請求項５】
前記ポリアミド樹脂（Ａ）の粘度数が９０〜１６０ｍｌ／ｇであることを特徴とする請求項１〜４のいずれか記載の耐圧容器。
【請求項６】
前記ポリアミド樹脂（Ａ）がポリヘキサメチレンアジパミド、ポリヘキサメチレンアジパミド／ポリヘキサメチレンテレフタルアミドコポリマーおよびポリヘキサメチレンテレフタルアミド／ポリヘキサメチレンセバカミドコポリマーからなる群より選ばれる少なくとも１種である請求項１〜５のいずれか記載の耐圧容器。
【請求項７】
前記扁平断面ガラス繊維（Ｂ）の平均扁平率が２〜１０である請求項１〜６のいずれか記載の耐圧容器。
【請求項８】
内部圧力が２５０ｋＰａ以上、温度が１８０℃〜２３０℃の環境で使用する請求項１〜７のいずれか記載の耐圧容器。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
遊星ギヤトレーン（４０）であって、
環状キャリア（７２）によって支持されたスピンドル（７５）上に回転可能に取付けられた遊星ギヤ（７４）を含み、
前記遊星ギヤ（７４）の各々が、中空の遊星ギヤハブ（９２）と該遊星ギヤハブ（９２）から半径方向外向きに延びる軸方向に間隔を置いて配置された前方及び後方出力歯セット（９４、９６）とを含み、
前記遊星ギヤトレーン（４０）は、さらに、
軸方向に間隔を置いて配置された前方及び後方ローラ軸受（１１１、１１２）であって、前記遊星ギヤ（７４）及びスピンドル（７５）間に配置される前方及び後方ローラ軸受（１１１、１１２）と、
前記遊星ギヤ（７４）の各々の後方出力歯セット（９６）の後方で前記遊星ギヤハブ（９２）に固定取付けされた入力ギヤ（１０４）と
を含み、
前記前方ローラ軸受（１１１）が、前記前方出力歯セット（９４）と軸方向に沿って整列し、また前記後方ローラ軸受（１１２）が、前記入力ギヤ（１０４）と軸方向に沿って隣接している
ことを特徴とする、遊星ギヤトレーン（４０）。
【請求項２】
前記前方及び後方ローラ軸受（１１１、１１２）が、それぞれ前記間隔を置いて配置された前方出力歯セット（９４）及び入力ギヤ（１０４）と軸方向に沿って整列しているか又は隣接している、ことをさらに特徴とする、請求項１記載の遊星ギヤトレーン（４０）。
【請求項３】
前記前方出力歯セット（９４）を囲みかつ該前方出力歯セット（９４）と噛み合うリングギヤ（１００）及び前記後方出力歯セット（９６）と噛み合うエキスターナルギヤ（１０２）と、
前記遊星ギヤ（７４）の各々の後方出力歯セット（９６）の後方で前記遊星ギヤハブ（９２）に固定取付けされた入力ギヤ（１０４）と、をさらに含み、
前記遊星ギヤ（７４）の各々の入力ギヤ（１０４）が、サンギヤ（１０８）と噛み合う、
ことをさらに特徴とする、請求項１又は２記載の遊星ギヤトレーン（４０）。
【請求項４】
前記前方出力歯セット（９４）が、前記スピンドル（７５）の半径方向外側で前記リングギヤ（１００）と噛み合い、
前記後方出力歯セット（９６）が、前記スピンドル（７５）の半径方向内側で前記エキスターナルギヤ（１０２）と噛み合い、また
前記遊星ギヤ（７４）の各々の入力ギヤ（１０４）が、前記スピンドル（７５）の半径方向内側で前記サンギヤ（１０８）と噛み合う、
ことをさらに特徴とする、請求項１乃至３のいずれか１項に記載の遊星ギヤトレーン（４０）。
【請求項５】
前記前方及び後方ローラ軸受（１１１、１１２）が、それぞれ前記間隔を置いて配置された前方出力歯セット（９４）及び入力ギヤ（１０４）と軸方向に沿って整列しているか又は隣接している、ことをさらに特徴とする、請求項４記載の遊星ギヤトレーン（４０）。
【請求項６】
前記前方及び後方出力歯セット（９４、９６）、遊星ギヤ（７４）の入力ギヤ（１０４）、リングギヤ（１００）、エキスターナルギヤ（１０２）並びにサンギヤ（１０８）が、ヘリカル形である、ことをさらに特徴とする、請求項４記載の遊星ギヤトレーン（４０）。
【請求項７】
遊星ギヤ装置（５６）であって、
環状キャリア（７２）の前方及び後方円錐形キャリアフレーム（７６、７７）によって支持されたスピンドル（７５）上に回転可能に取付けられた遊星ギヤ（７４）を備えた遊星ギヤトレーン（４０）を含み、
前記前方及び後方円錐形キャリアフレーム（７６、７７）が、それぞれ半径方向外側前方及び後方キャリアフランジ（７９、８１）を含み、
前記前方及び後方円錐形キャリアフレーム（７６、７７）が、それらの間に前記スピンドル（７５）を固定支持したそれぞれ半径方向内側前方及び後方支持フランジ（８３、８５）を含み、
前記前方及び後方支持フランジ（８３、８５）が、円錐形前方及び後方支持ビーム（８８、９０）によって前記前方及び後方キャリアフランジ（７９、８１）に連結され、
前記遊星ギヤ（７４）の各々が、中空の遊星ギヤハブ（９２）と該遊星ギヤハブ（９２）から半径方向外向きに延びる軸方向に間隔を置いて配置された前方及び後方出力歯セット（９４、９６）とを含み、
入力ギヤ（１０４）が、前記遊星ギヤ（７４）の各々の後方出力歯セット（９６）の後方で前記遊星ギヤハブ（９２）に固定取付けされ、
前記遊星ギヤ（７４）の各々の入力ギヤ（１０４）が、サンギヤ（１０８）と噛み合い、また
軸方向に間隔を置いて配置された前方及び後方ローラ軸受（１１１、１１２）が、前記遊星ギヤ（７４）及びスピンドル（７５）間に配置される、
遊星ギヤ装置（５６）。
【請求項８】
ターボファンガスタービンエンジン（１０）であって、
少なくともその一部がファンフレーム（６７）によって半径方向に支持された二重反転式第１及び第２のファン段（６０、６２）を備えたファンセクション（１６）と、
前記ファンセクション（１６）の下流に配置されかつ遊星ギヤ装置（５６）内の遊星ギヤトレーン（４０）を介して低圧シャフト（３６）によって前記第１及び第２のファン段（６０、６２）に駆動連結された低圧タービン（３２）と、を含み、
前記遊星ギヤトレーン（４０）が、環状キャリア（７２）によって支持されたスピンドル（７５）上に回転可能に取付けられた遊星ギヤ（７４）を含み、
前記遊星ギヤ（７４）の各々が、中空の遊星ギヤハブ（９２）と該遊星ギヤハブ（９２）から半径方向外向きに延びる軸方向に間隔を置いて配置された前方及び後方出力歯セット（９４、９６）とを含み、また
軸方向に間隔を置いて配置された前方及び後方ローラ軸受（１１１、１１２）が、前記遊星ギヤ（７４）及びスピンドル（７５）間に配置され、
前記遊星ギヤトレーン（４０）は、さらに、
前記遊星ギヤ（７４）の各々の後方出力歯セット（９６）の後方で前記遊星ギヤハブ（９２）に固定取付けされた入力ギヤ（１０４）を含み、
前記前方ローラ軸受（１１１）が、前記前方出力歯セット（９４）と軸方向に沿って整列し、また前記後方ローラ軸受（１１２）が、前記入力ギヤ（１０４）と軸方向に沿って隣接している
ことを特徴とする、ターボファンガスタービンエンジン（１０）。
【請求項９】
前記遊星ギヤ（７４）の各々の後方出力歯セット（９６）の後方で前記遊星ギヤハブ（９２）に固定取付けされた入力ギヤ（１０４）をさらに含み、
前記第２のファン段（６２）が、前記前方出力歯セット（９４）を囲みかつ該前方出力歯セット（９４）と噛み合うリングギヤ（１００）に連結され、
前記第１のファン段（６０）が、前記後方出力歯セット（９６）と噛み合うエキスターナルギヤ（１０２）に連結され、また
前記遊星ギヤ（７４）の各々の入力ギヤ（１０４）が、前記低圧シャフト（３６）に連結されたサンギヤ（１０８）と噛み合う、
ことをさらに特徴とする、請求項８記載のターボファンガスタービンエンジン（１０）。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
複数のブラシシールセグメント（１３０）を備えるブラシシールであって、各セグメントが、
弓形フェンス（１４０）と、
前記弓形フェンス（１４０）と円周方向に同延である弓形バックプレート（１５０）と、
前記弓形バックプレート（１５０）と弓形フェンス（１４０）の間に配置された複数のブラシブリストル（１７０）と、
前記複数のブラシシールセグメント（１３０）の少なくとも１つが固定されている固定部材（２０）と
を含んでおり、前記弓形バックプレート（１５０）が、
複数の円周方向配向空洞（１６０、１６２、１６４）と、
前記弓形バックプレート（１５０）の第１の端部（１５２）に隣接した第１の溝（１９０）であって、前記複数の円周方向配向空洞（１６０、１６２、１６４）の少なくとも２つをつなぐ第１の溝（１９０）と、
前記弓形バックプレート（１５０）の第２の端部（１５４）に隣接した第２の溝（１９２）であって、前記複数の円周方向配向空洞（１６０、１６２、１６４）の少なくとも２つをつなぐ第２の溝（１９２）と、
前記弓形バックプレート（１５０）の第１の端部（１５２）に沿って配置されかつ前記第１の溝（１９０）に隣接する第１のダム（１８０）と、
前記弓形バックプレート（１５０）の第２の端部（１５４）に沿って配置されかつ前記第２の溝（１９２）に隣接する第２のダム（１８２）と
を含んでいる、ブラシシール。
【請求項２】
前記弓形バックプレート（１５０）が、前記第１の端部（１５２）にほぼ平行にかつ前記第１のダム（１８０）に隣接して配置された第１の溝（１９０）と、前記第２の端部（１５４）にほぼ平行にかつ前記第２のダム（１８２）に隣接して配置された第２の溝（１９２）とをさらに含む、請求項１記載のブラシシール。
【請求項３】
前記第１の溝（１９０）及び第２の溝（１９２）の少なくとも１つが、前記複数の円周方向配向空洞（１６０、１６２、１６４）の少なくとも１つと連続している、請求項２記載のブラシシール。
【請求項４】
前記第１の溝（１９０）及び第２の溝（１９２）の両方が、前記複数の円周方向配向空洞（１６０、１６２、１６４）の少なくとも１つと連続している、請求項３記載のブラシシール。
【請求項５】
第１のブラシシールセグメント（１３０）の前記第１のダム（１８０）が、第２のブラシシールセグメント（１３０）の前記第２のダム（１８０）に当接する、請求項１記載のブラシシール。
【請求項６】
前記複数のブラシブリストル（１７０）が、前記弓形バックプレート（１５０）の半径方向軸線（Ｒ）に対してある角度をなしており、前記弓形バックプレート（１５０）の第１の端部（１５２）及び第２の端部（１５４）の各々が、前記複数のブラシブリストル（１７０）の角度にほぼ平行である、請求項１記載のブラシシール。
【請求項７】
前記第１及び第２のダム（１８０、１８２）が、前記弓形バックプレート（１５０）の内側弓形端縁部（１５６）及び外側弓形端縁部（１５８）と連続している、請求項１記載のブラシシール。
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
ネットワークを介してＷｅｂサーバと通信し、当該Ｗｅｂサーバによって提供される画面を表示するＷｅｂブラウザを備えた情報処理装置であって、
前記Ｗｅｂサーバからの応答を受信する受信手段と、
前記受信手段が受信した応答に含まれる優先度情報を取得する取得手段と、
前記受信手段が受信した応答に基づく第１画面を前記Ｗｅｂブラウザが表示しているときに前記Ｗｅｂブラウザ以外のアプリケーションによって表示される第２画面を表示すべきイベントが発生すると、前記第１画面に代えて前記第２画面を表示するか否かを前記取得手段が取得した優先度情報に基づいて制御する制御手段と、
を備えることを特徴とする情報処理装置。
【請求項２】
前記取得手段が取得した優先度情報に基づいて前記Ｗｅｂブラウザに対して割り当てられた優先度を変更する変更手段を更に備え、
前記制御手段は、前記変更手段によって変更された優先度に従って前記制御を行う
ことを特徴とする請求項１に記載の情報処理装置。
【請求項３】
前記変更手段による優先度の変更を許可するか否かを判定する判定手段を更に備え、
前記変更手段は、前記変更手段による優先度の変更を許可すると前記判定手段が判定した場合に、前記優先度を変更する
ことを特徴とする請求項２に記載の情報処理装置。
【請求項４】
前記判定手段は、前記取得手段が取得した優先度情報が示す優先度が所定の範囲内である場合に、前記変更手段による優先度の変更を許可すると判定することを特徴とする請求項３に記載の情報処理装置。
【請求項５】
前記制御手段は、前記変更手段によって変更された優先度が前記アプリケーションに対して割り当てられた優先度より高い場合は、前記第１画面に代えて前記第２画面を表示しないよう制御し、前記変更手段によって変更された優先度が前記アプリケーションに対して割り当てられた優先度より低い場合は、前記第１画面に代えて前記第２画面を表示するよう制御することを特徴とする請求項２乃至４のいずれか１項に記載の情報処理装置。
【請求項６】
原稿上の画像を読み取って画像データを生成する読取手段と、
画像データを印刷する印刷手段と、
を更に備えることを特徴とする請求項１乃至５のいずれか１項に記載の情報処理装置。
【請求項７】
Ｗｅｂサーバと、当該Ｗｅｂサーバによって提供される画面を表示するＷｅｂブラウザを備えた情報処理装置を含む情報処理システムであって、
前記Ｗｅｂサーバは、
前記情報処理装置からの要求を受信する第１受信手段と、
前記第１受信手段が受信した要求に対して、優先度情報を含む応答を送信する送信手段と、
を備え、
前記情報処理装置は、
前記Ｗｅｂサーバからの応答を受信する第２受信手段と、
前記第２受信手段が受信した応答に含まれる優先度情報を取得する取得手段と、
前記第２受信手段が受信した応答に基づく第１画面を前記Ｗｅｂブラウザが表示しているときに前記Ｗｅｂブラウザ以外のアプリケーションによって表示される第２画面を表示すべきイベントが発生すると、前記第１画面に代えて前記第２画面を表示するか否かを前記取得手段が取得した優先度情報に基づいて制御する制御手段と、
を備えることを特徴とする情報処理システム。
【請求項８】
前記情報処理装置は、
前記取得手段が取得した優先度情報に基づいて前記Ｗｅｂブラウザに対して割り当てられた優先度を変更する変更手段を更に備え、
前記制御手段は、前記変更手段によって変更された優先度に従って前記制御を行う
ことを特徴とする請求項７に記載の情報処理システム。
【請求項９】
前記情報処理装置は、
前記変更手段による優先度の変更を許可するか否かを判定する判定手段を更に備え、
前記変更手段は、前記変更手段による優先度の変更を許可すると前記判定手段が判定した場合に、前記優先度を変更する
ことを特徴とする請求項８に記載の情報処理システム。
【請求項１０】
前記判定手段は、前記取得手段が取得した優先度情報が示す優先度が所定の範囲内である場合に、前記変更手段による優先度の変更を許可すると判定することを特徴とする請求項９に記載の情報処理システム。
【請求項１１】
前記制御手段は、前記変更手段によって変更された優先度が前記アプリケーションに対して割り当てられた優先度より高い場合は、前記第１画面に代えて前記第２画面を表示しないよう制御し、前記変更手段によって変更された優先度が前記アプリケーションに対して割り当てられた優先度より低い場合は、前記第１画面に代えて前記第２画面を表示するよう制御することを特徴とする請求項８乃至１０のいずれか１項に記載の情報処理システム。
【請求項１２】
ネットワークを介してＷｅｂサーバと通信し、当該Ｗｅｂサーバによって提供される画面を表示するＷｅｂブラウザを備えた情報処理装置の制御方法であって、
前記Ｗｅｂサーバからの応答を受信する受信工程と、
前記受信工程で受信した応答に含まれる優先度情報を取得する取得工程と、
前記受信工程で受信した応答に基づく第１画面を前記Ｗｅｂブラウザが表示しているときに前記Ｗｅｂブラウザ以外のアプリケーションによって表示される第２画面を表示すべきイベントが発生すると、前記第１画面に代えて前記第２画面を表示するか否かを前記取得工程で取得した優先度情報に基づいて制御する制御工程と、
を備えることを特徴とする情報処理装置の制御方法。
【請求項１３】
コンピュータを請求項１乃至６のいずれか１項に記載の情報処理装置の各手段として機能させるためのプログラム。
【手続補正２】
【補正対象書類名】明細書
【補正対象項目名】０００７
【補正方法】変更
【補正の内容】
【０００７】
本発明は、上記課題に鑑みてなされたものであり、Ｗｅｂサーバからの応答に基づく画面をＷｅｂブラウザが表示しているときに生じた割り込み表示イベントによる画面表示を、Ｗｅｂサーバから指定された優先度に従って行う情報処理装置、情報処理システム、情報処理装置の制御方法及びプログラムを提供するものである。
【手続補正３】
【補正対象書類名】明細書
【補正対象項目名】０００８
【補正方法】変更
【補正の内容】
【０００８】
上記課題を解決するため、本発明に係る情報処理装置は、ネットワークを介してＷｅｂサーバと通信し、当該Ｗｅｂサーバによって提供される画面を表示するＷｅｂブラウザを備えた情報処理装置であって、前記Ｗｅｂサーバからの応答を受信する受信手段と、前記受信手段が受信した応答に含まれる優先度情報を取得する取得手段と、前記受信手段が受信した応答に基づく第１画面を前記Ｗｅｂブラウザが表示しているときに前記Ｗｅｂブラウザ以外のアプリケーションによって表示される第２画面を表示すべきイベントが発生すると、前記第１画面に代えて前記第２画面を表示するか否かを前記取得手段が取得した優先度情報に基づいて制御する制御手段と、を備えることを特徴とする。
【手続補正４】
【補正対象書類名】明細書
【補正対象項目名】０００９
【補正方法】変更
【補正の内容】
【０００９】
本発明によれば、Ｗｅｂサーバからの応答に基づく画面をＷｅｂブラウザが表示しているときに生じた割り込み表示イベントによる画面表示を、Ｗｅｂサーバから指定された優先度に従って行うことができる。